(57)【特許請求の範囲】
【請求項１】
シート状の読取媒体を導く搬送経路と、
前記搬送経路に沿って配置され、前記読取媒体の一方の面をスキャンするスキャナと、
前記スキャナの対向位置に配置され、前記読取媒体を搬送する送りローラと、
前記送りローラを、前記スキャナに対して進退自在に支持する回動部材と、
前記回動部材を、前記スキャナ側に付勢する付勢部材と、
前記送りローラにローラ駆動力を伝動するローラ駆動機構であって、前記送りローラの駆動負荷に応じて前記回動部材を退避方向に動作させる遊星ギヤ機構を用いて構成されるものと、を備え、
前記ローラ駆動機構は、
前記送りローラと一体的に回転する送りローラギヤと、
前記回動部材の回動支点近傍を回転中心とし、駆動源の動力で回転する太陽ギヤと、
前記回動部材に回転自在に設けられ、前記送りローラギヤおよび前記太陽ギヤに噛合する遊星ギヤと、
を有することを特徴とするスキャナ装置。
【請求項２】
前記送りローラは、上流側送りローラによって前記スキャナ側に送り込まれる前記読取媒体を、前記スキャナとの間で挟持搬送するものであり、その周速度が前記上流側送りローラよりも速くなるように駆動されることを特徴とする請求項１に記載のスキャナ装置。
【請求項３】
前記スキャナの上流側に、前記読取媒体に印字を行う印字ヘッドが設けられていることを特徴とする請求項１〜２の何れかに記載のスキャナ装置。
【請求項４】
前記送りローラは、送りローラ支軸に少なくとも一対設けられ、該一対の送りローラ間に前記回動部材が配置されていることを特徴とする請求項１〜３の何れかに記載のスキャナ装置。
【請求項５】
前記回動部材は、前記読取媒体を前記スキャナの読み取り面に沿わせる紙押えガイドを備えることを特徴とする請求項１〜４の何れかに記載のスキャナ装置。
【請求項６】
前記回動部材を退避方向に強制回動させるソレノイドを更に備え、該ソレノイドの駆動に応じて前記送りローラと前記スキャナとの間が開閉されることを特徴とする請求項１〜５の何れかに記載のスキャナ装置。
【請求項７】
前記送りローラ、回動部材、ローラ駆動機構およびソレノイドは、前記スキャナと分離されたスキャナ送りユニットに設けられ、更に、前記スキャナ送りユニット全体が前記スキャナから退避可能に構成されていることを特徴とする請求項１〜６の何れかに記載のスキャナ装置。
【発明の詳細な説明】
【０００１】
【発明の属する技術分野】
本発明は、シート状の読取媒体をスキャンするスキャナ装置に関し、詳しくは、スキャナ（イメージセンサ）の対向位置に送りローラを備えるスキャナ装置に関する。
【０００２】
【従来の技術】
近年、シート状の読取媒体をスキャンするスキャナ装置（スキャナ付きプリンタ等の複合処理装置を含む。）が普及している。この種のスキャナ装置には、読取媒体を固定した状態でスキャン処理を行う方式と、読取媒体を搬送しながらスキャン処理を行う方式とがあり、後者においては、スキャナの対向位置に、読取媒体をスキャナに押し付けながら搬送する送りローラを備えるものが知られている。
【０００３】
【発明が解決しようとする課題】
しかしながら、上記送りローラを備えるものでは、読取媒体の搬送終了後に、送りローラがスキャナの読み取り面（例えばガラス面）に直接接触し、その駆動負荷を増大させる可能性があり、特に、読取媒体の終端までスキャンする必要があるものでは、送りローラがスキャナ読み取り面に直接接触することを回避し難い場合がある。そのため、過負荷によって駆動源や伝動ギヤが破損する可能性があり、また、駆動源としてステッピングモータを使用しているものでは、送りローラの負荷増大によってステッピングモータが脱調し、不快な異音を発生させる不都合がある。
【０００４】
本発明の目的は、スキャナの対向位置に、読取媒体をスキャナに押し付けながら搬送する送りローラを備えるものでありながら、送りローラの駆動負荷に応じて、送りローラをスキャナから自動的に退避させることが可能になり、その結果、送りローラがスキャナの読み取り面に直接接触し、その駆動負荷が増大しても、過負荷によって駆動源や伝動ギヤが破損したり、ステッピングモータが脱調し、不快な異音を発生させる等の不都合を解消することができるスキャナ装置を提供することにある。
【０００５】
【課題を解決するための手段】
前記目的を達成するため本発明のスキャナ装置は、シート状の読取媒体を導く搬送経路と、前記搬送経路に沿って配置され、前記読取媒体の一方の面をスキャンするスキャナと、前記スキャナの対向位置に配置され、前記読取媒体を搬送する送りローラと、前記送りローラを、前記スキャナに対して進退自在に支持する回動部材と、前記回動部材を、前記スキャナ側に付勢する付勢部材と、前記送りローラにローラ駆動力を伝動するローラ駆動機構であって、前記送りローラの駆動負荷に応じて前記回動部材を退避方向に動作させる遊星ギヤ機構を用いて構成されるものとを備える。
【０００６】
また、前記ローラ駆動機構は、前記送りローラと一体的に回転する送りローラギヤと、前記回動部材の回動支点近傍を回転中心とし、駆動源の動力で回転する太陽ギヤと、前記回動部材に回転自在に設けられ、前記送りローラギヤおよび前記太陽ギヤに噛合する遊星ギヤとを備えることが好ましい。この場合においては、ローラ駆動機構を最少限の部材で構成し、部品点数の削減および構造の簡略化を図ることができる。
【０００７】
また、前記送りローラは、上流側送りローラによって前記スキャナ側に送り込まれる前記読取媒体を、前記スキャナとの間で挟持搬送するものであり、その周速度が前記上流側送りローラよりも速くなるように駆動されることが好ましい。この場合においては、読取媒体に適度なテンションを与え、読取媒体の弛みに起因するスキャン不良やジャムの発生を防止でき、しかも、送りローラの駆動負荷は、前記遊星ギヤ機構によって自動的にコントロールされるため、読取媒体に過剰なテンションを与えたり、駆動源に過負荷が作用する不都合がない。
【０００８】
また、前記スキャナの上流側に、前記読取媒体に印字を行う印字ヘッドが設けられていることが好ましい。この場合においては、印字後の読取媒体をスキャンする小切手処理装置等の複合処理装置を構成することができる。
【０００９】
また、前記送りローラは、送りローラ支軸に少なくとも一対設けられ、該一対の送りローラ間に前記回動部材が配置されていることが好ましい。この場合においては、一対の送りローラを略平行に進退移動させることができるため、搬送力のバラツキによって読取媒体が傾く等の不都合を回避することができる。
【００１０】
また、前記回動部材は、前記読取媒体を前記スキャナの読み取り面に沿わせる紙押えガイドを備えることが好ましい。この場合においては、一対の送りローラ間における読取媒体の浮きが規制されるため、スキャン精度を向上させることができる。
【００１１】
また、前記回動部材を退避方向に強制回動させるソレノイドを更に備え、該ソレノイドの駆動に応じて前記送りローラと前記スキャナとの間が開閉されることが好ましい。この場合においては、送りローラとスキャナとの間に読取媒体が送り込まれる際に、ソレノイドの駆動で搬送経路を開くことにより、送りローラに対する読取媒体の引っ掛かりを防止でき、しかも、駆動負荷に応じて送りローラを退避させる機構（回動部材等）を利用して搬送経路を開閉するため、部品点数の削減や構造の簡略化を図ることができる。
【００１２】
また、前記送りローラ、回動部材、ローラ駆動機構およびソレノイドは、前記スキャナと分離されたスキャナ送りユニットに設けられ、更に、前記スキャナ送りユニット全体が前記スキャナから退避可能に構成されていることが好ましい。この場合においては、スキャナ送りユニット全体を退避させることにより、スキャナと送りローラとの間を広く開放することができるため、スキャナ部位におけるジャム紙の除去が容易になる許りでなく、スキャナの読み取り面を容易にクリーニングすることができる。
【００１３】
【発明の実施の形態】
以下、本発明の一実施形態を図面に沿って説明する。図１は、本発明の一実施形態に係る複合処理装置の斜視図である。この図に示されるように、複合処理装置（スキャナ装置）１０は、樹脂製のカバー１１で覆われており、その前面部には、小切手（読取媒体）Ｐを手差しで挿入する挿入口１２が形成される一方、上面部には、小切手Ｐを排出する排出口１３が形成される。さらに、本実施形態の複合処理装置１０は、その後部にロール紙を収納するロール紙収納部（図示せず）を備えており、該ロール紙収納部に収納されたロール紙が印字部を経て装置上面部のロール紙排出口１４から引き出される。
【００１４】
図２は、複合処理装置の内部構造を示す側断面図である。この図に示されるように、複合処理装置１０の内部には、挿入口１２から排出口１３に至る小切手Ｐの搬送経路１５が形成される。搬送経路１５は、挿入口１２側が水平方向を向く一方、排出口１３側が垂直方向を向いており、側面視においてＬ字状に曲折する。搬送経路１５上には、挿入口１２側から順に、用紙後端検出器１６、ＭＩＣＲヘッド１７、第１送りローラ対１８、用紙先端検出器１９、用紙位置決め部材２０、裏印字ヘッド２１、第２送りローラ対２２、表印字ヘッド２３、用紙排出検出器２４およびスキャナ２５が配置され、さらに、スキャナ２５の対向位置には、スキャナ送りローラ（送りローラ）２６が設けられる。
【００１５】
用紙後端検出器１６、用紙先端検出器１９および用紙排出検出器２４は、例えば透過型もしくは反射型のフォトセンサで構成されており、搬送経路１５の各位置で小切手Ｐの有無を非接触で検出する。用紙位置決め部材２０は、挿入口１２から挿入された小切手Ｐを所定の位置で一旦停止させるためのもので、例えばソレノイド等のアクチュエータ駆動に応じて、搬送経路１５内に突出する姿勢と、搬送経路１５から退避する姿勢とに変姿動作するように構成される。第１送りローラ対１８および第２送りローラ対２２は、それぞれ搬送経路１５を挟んで対向する一対のローラ部材で構成され、何れか一方のローラ駆動によって小切手Ｐを正逆両方向に搬送する。さらに、何れかのローラ部材は、他方のローラ部材に対して進退自在に構成されると共に、例えばソレノイド等のアクチュエータ駆動に応じた進退動作によって搬送経路１５を開閉する。
【００１６】
ＭＩＣＲヘッド１７は、小切手Ｐの表面に記録された磁気インク文字を読み取るためのもので、ＭＩＣＲヘッド１７の読み取りデータに基づいて小切手Ｐの有効・無効が判断される。磁気インク文字は、図３に示されるように、小切手Ｐの表面におけるＭＩＣＲ記録領域２７に記録されており、記録データには、小切手Ｐの口座番号等が含まれている。尚、ＭＩＣＲヘッド１７の対向位置には、読み取り動作時に小切手ＰをＭＩＣＲヘッド１７に押し付ける押圧部材１７ａが設けられるが、常時は押圧部材１７ａがＭＩＣＲヘッド１７から退避し、搬送経路１５が開かれる。
【００１７】
表印字ヘッド２３は、小切手Ｐの表面に、支払い先、日付、金額等の表書き事項を印字するためのもので、この表書き事項は、図３に示される表書き領域２８に印字される。表印字ヘッド２３は、キャリッジに支承されたシリアル式の印字ヘッドであり、小切手Ｐの幅方向に移動しながら、１又は複数列ずつのドットマトリックス印字を実現する。本実施形態においては、表印字ヘッド２３として、インクリボン上のインクを小切手Ｐに転写するドットインパクト方式の印字ヘッドを採用しているが、他の方式の印字ヘッドを採用しても良い。
【００１８】
裏印字ヘッド２１は、小切手Ｐの裏面に買い物客の認証番号、日付、使用金額等の店側として必要な裏書き事項を印字するためのもので、この裏書き事項は、図３に示される裏書き領域２９に印字される。裏印字ヘッド２１は、シャトル式のものであって、小切手Ｐの幅方向に所定間隔を存して複数のヘッドを備え、該間隔幅内でのヘッド移動によって１又は複数列のドットマトリックス印字を実現する。本実施形態においては、裏印字ヘッド２１として、インクリボン上のインクを小切手Ｐに転写するドットインパクト方式の印字ヘッドを採用しているが、他の方式の印字ヘッドを採用しても良い。
【００１９】
スキャナ２５は、印字された小切手Ｐの表面をスキャンするためのもので、スキャンされた画像データは、圧縮処理された後、ホストコンピュータに保存され、電子決済に使用される。本実施形態においては、スキャナ２５として、密着型イメージセンサ（ＣＩＳ：Contact Image Sensor）を採用しており、その読み取り面２５ａに小切手Ｐを密着させた状態でスキャン動作が行われる。スキャナ送りローラ２６は、スキャン動作時に小切手Ｐを搬送するためのもので、スキャナ２５の読み取り面２５ａに小切手Ｐを押し付けつつ、該小切手Ｐを排出口１３側に搬送する。
【００２０】
図４は、ローラ退避機構を示す側面図、図５は、ローラ退避機構を示す平面図である。これらの図に示されるように、スキャナ送りローラ２６は、ローラ支軸３０に所定間隔を存して一対設けられる。ローラ支軸３０は、その両端部がガイド溝３１に沿って前後移動自在にガイドされ、且つ、中間部が後述するローラ退避機構３２によって支持される。ローラ退避機構３２は、スキャナ送りローラ用ソレノイド３３の駆動に応じてローラ支軸３０を後方に引くように構成されており、それに伴ってスキャナ送りローラ２６がスキャナ２５から退避し、搬送経路１５が開かれる。つまり、非スキャン動作時においては、スキャナ送りローラ２６が退避位置にあり、スキャナ送りローラ２６に対する小切手Ｐの引っ掛かりが回避される。また、スキャン動作時においては、第１送りローラ対１８および第２送りローラ対２２によって小切手Ｐがスキャン開始位置まで搬送された後、スキャナ送りローラ２６の退避を解除して小切手Ｐをスキャナ２５に押し付け、この状態でスキャナ送りローラ２６を駆動させて小切手Ｐの搬送を行う。
【００２１】
ローラ退避機構３２は、ローラ支軸３０を、回転自在に支持し、且つ、スキャナ２５に対して進退移動させる押えレバー（回動部材）３４と、該押えレバー３４をスキャナ２５側に付勢する押えバネ（付勢部材）３５と、該押えバネ３５の付勢力に抗して押えレバー３４を退避動作させるスキャナ送りローラ用ソレノイド３３とを備えて構成される。押えレバー３４は、回動支軸３４ａを支点として前後回動自在な回動部材であり、左右一対のスキャナ送りローラ２６間でローラ支軸３０を回転自在に支持する。これにより、一対のスキャナ送りローラ２６を、スキャナ２５に対して略平行に進退させることができる許りでなく、単一の押えバネ３５で略均等に付勢でき、その結果、搬送力のバラツキによって小切手Ｐが傾く等の不都合が回避される。また、押えレバー３４の前端部には、小切手Ｐをスキャナ２５の読み取り面２５ａに沿わせる紙押えガイド３４ｂが一体的に形成されており、該紙押えガイド３４ｂによって左右のスキャナ送りローラ２６間における小切手Ｐの浮きが規制される。
【００２２】
スキャナ送りローラ用ソレノイド３３は、その通電に伴って後方に没入動作する駆動軸３３ａを備えて構成される。駆動軸３３ａの先端部には、左右方向を向くピン３３ｂが設けられる。ピン３３ｂの左右両端部は、押えレバー３４に上下方向を向いて形成される左右一対の溝部３４ｃに遊嵌しており、駆動軸２２ａの直線運動と押えレバー３４の円運動とを円滑に結んでいる。
【００２３】
図６は、ローラ駆動機構を示す要部側断面図、図７は、通常状態におけるローラ駆動機構を示す斜視図、図８は、押えレバー退避状態におけるローラ駆動機構を示す斜視図である。これらの図に示されるように、スキャナ送りローラ２６は、ローラ駆動機構３６によって駆動される。ローラ駆動機構３６は、スキャナ送り用モータ３７、中間ギヤ３８、太陽ギヤ３９、遊星ギヤ４０および送りローラギヤ４１で構成されており、送りローラギヤ４１は、一対のスキャナ送りローラ２６間でローラ支軸３０に一体的に設けられる。スキャナ送り用モータ３７は、ステッピングモータであり、後述するスキャナ送りユニット４２に設けられる。中間ギヤ３８は、スキャナ送り用モータ３７のピニオンギヤ３７ａに噛合する第１ギヤ部３８ａと、太陽ギヤ３９の第１ギヤ部３９ａに噛合する第２ギヤ部３８ｂとを一体的に備えて構成され、ギヤ軸３８ｃを介してスキャナ送りユニット４２に支持される。太陽ギヤ３９は、中間ギヤ３８の第２ギヤ部３８ｂに噛合する第１ギヤ部３９ａと、遊星ギヤ４０の第１ギヤ部４０ａに噛合する第２ギヤ部３９ｂとを一体的に備えて構成され、ギヤ軸３９ｃを介してスキャナ送りユニット４２に支持される。遊星ギヤ４０は、太陽ギヤ３９の第２ギヤ部３９ｂに噛合する第１ギヤ部４０ａと、送りローラギヤ４１に噛合する第２ギヤ部４０ｂとを一体的に備えて構成され、ギヤ軸４０ｃを介して押えレバー３４に支持される。
【００２４】
図９は、ローラ駆動機構の作用説明図である。この図に示されるように、太陽ギヤ３９のギヤ軸３９ｃは、押えレバー３４の回動支点近傍に配置される。これにより、太陽ギヤ３９の外周に沿って遊星ギヤ４０が移動自在な遊星ギヤ機構が構成される。図９（Ａ）に示されるように、スキャン動作時においては、スキャナ送り用モータ３７の駆動に伴って太陽ギヤ３９が矢印ａ方向に回転する。スキャナ送りローラ２６は、押えバネ３５によってスキャナ２５側（矢印ｂ方向）に付勢されており、太陽ギヤ３９、遊星ギヤ４０および送りローラギヤ４１を介して伝動される駆動力で小切手Ｐを上方に搬送する。このとき、スキャナ送りローラ２６に作用する負荷は、小切手Ｐとスキャナ２５との摩擦抵抗であるため、比較的小さい。図９（Ｂ）に示されるように、小切手Ｐの搬送が終了し、スキャナ送りローラ２６がスキャナ２５の読み取り面２５ａに直接接触すると、スキャナ送りローラ２６に作用する負荷は、スキャナ送りローラ２６とスキャナ２５との摩擦抵抗となり、急激に増大する。このとき、遊星ギヤ４０には、矢印ｃ方向および矢印ｄ方向の反力が作用し、それに伴って、太陽ギヤ３９の駆動力の一部が、遊星ギヤ４０のギヤ軸４０ｃに退避動作力ｅ（矢印ｃ方向の反力と矢印ｄ方向の反力との合力からなる矢印ｅ方向のベクトル成分）として働く。そして、図９（Ｃ）に示されるように、遊星ギヤ４０のギヤ軸４０ｃに退避動作力ｅが働くと、押えレバー３４が押えバネ３５の付勢力に抗して退避方向に回動し、それに伴ってスキャナ送りローラ２６の押圧力が低下し、スキャナ送りローラ２６の駆動負荷が軽減される。つまり、スキャナ送りローラ２６の駆動負荷に応じて、スキャナ送りローラ２６をスキャナ２５から自動的に退避させることが可能になるため、スキャナ送りローラ２６がスキャナ２５の読み取り面２５ａに直接接触し、その駆動負荷が増大したとしても、過負荷によってスキャナ送り用モータ３７や伝動ギヤが破損したり、スキャナ送り用モータ３７が脱調して不快な異音を発生させる等の不都合が解消される。尚、スキャナ送りローラ２６の駆動負荷と、押えレバー３４の退避動作力との関係は、太陽ギヤ３９、遊星ギヤ４０および送りローラギヤ４１の減速比設定に基づいて調整される。
【００２５】
図１０は、スキャン動作時を示す複合処理装置の内部概略側面図である。この図に示されるように、スキャン動作時においては、第２送りローラ対２２によってスキャナ２５側に送り込まれる小切手Ｐを、スキャナ２５とスキャナ送りローラ２６との間で挟持した後、第２送りローラ対２２およびスキャナ送りローラ２６の同時駆動によって上方に搬送する。このとき、スキャナ送りローラ２６は、その周速度が第２送りローラ対２２よりも速くなるように駆動される。これにより、小切手Ｐに適度なテンションを与え、小切手Ｐの弛みに起因するスキャン不良やジャムの発生が防止される。また、スキャナ送りローラ２６の駆動負荷は、前述のように自動的にコントロールされるため、小切手Ｐに過剰なテンションを与えたり、スキャナ送り用モータ３７に過負荷が作用する不都合も回避される。
【００２６】
図１１は、スキャナ送りユニットの退避構造を示す複合処理装置の内部概略側面図である。この図に示されるように、スキャナ２５の対向位置には、スキャナ２５と分離されたスキャナ送りユニット４２が構成されている。スキャナ送りユニット４２は、スキャナ送りローラ２６、ローラ退避機構３２、ローラ駆動機構３６等を備えて構成されると共に、ユニット回動支軸４２ａを介してプリンタ内部に回動自在に支持されている。ユニット回動支軸４２ａを支点としてスキャナ送りユニット４２全体を後方に退避回動操作（本実施形態では最大９０゜）すると、スキャナ送りローラ２６やローラ退避機構３２がスキャナ２５から大きく退避し、スキャナ２５とスキャナ送りローラ２６との間が広く開放される。これにより、スキャナ２５部位におけるジャム紙の除去や、読み取り面２５ａのクリーニングが容易になる。尚、スキャナ送りユニット４２の前面部には、表印字ヘッド２３の対向位置に配置されるプラテン２３ａや、第２送りローラ対２２を構成する一方のローラ部材２２ａが設けられており、スキャナ送りユニット４２全体を後方に退避回動操作すると、プラテン２３ａやローラ部材２２ａも一体的に退避し、表印字ヘッド２３部位や第２送りローラ対２２部位におけるジャム紙の除去も容易になる。
【００２７】
以上の如く本実施形態によれば、複合処理装置１０は、シート状の小切手Ｐを導く搬送経路１５と、該搬送経路１５に沿って配置され、小切手Ｐの一方の面をスキャンするスキャナ２５と、該スキャナ２５の対向位置に配置され、小切手Ｐを搬送するスキャナ送りローラ２６と、該スキャナ送りローラ２６を、スキャナ２５に対して進退自在に支持する押えレバー３４と、該押えレバー３４をスキャナ２５側に付勢する押えバネ３５と、前記スキャナ送りローラ２６にローラ駆動力を伝動するローラ駆動機構３６とを備えており、更に、ローラ駆動機構３６は、スキャナ送りローラ２６の駆動負荷に応じて押えレバー３４を退避方向に動作させる遊星ギヤ機構を用いて構成される。つまり、スキャナ２５の対向位置に、小切手Ｐをスキャナ２５に押し付けながら搬送するスキャナ送りローラ２６を備えるものでありながら、スキャナ送りローラ２６の駆動負荷に応じて、スキャナ送りローラ２６をスキャナ２５から自動的に退避させることが可能になり、その結果、スキャナ送りローラ２６がスキャナ２５の読み取り面２５ａに直接接触し、その駆動負荷が増大しても、過負荷によってスキャナ送り用モータ３７やギヤ類が破損したり、スキャナ送り用モータ３７が脱調して不快な異音を発生させる等の不都合を解消することができる。
また、ローラ駆動機構３６は、スキャナ送りローラ２６と一体的に回転する送りローラギヤ４１と、押えレバー３４の回動支点近傍を回転中心とし、スキャナ送り用モータ３７の動力で回転する太陽ギヤ３９と、押えレバー３４に回転自在に設けられ、送りローラギヤ４１および太陽ギヤ３９に噛合する遊星ギヤ４０とを備えて構成されるため、ローラ駆動機構３６を最少限の部材で構成し、部品点数の削減および構造の簡略化を図ることができる。
【００２８】
また、スキャナ送りローラ２６は、第２送りローラ対２２によってスキャナ２５側に送り込まれる小切手Ｐを、スキャナ２５との間で挟持搬送するものであり、その周速度が第２送りローラ対２２よりも速くなるように駆動されるため、小切手Ｐに適度なテンションを与え、小切手Ｐの弛みに起因するスキャン不良やジャムの発生を防止でき、しかも、スキャナ送りローラの駆動負荷は、遊星ギヤ機構によって自動的にコントロールされるため、小切手Ｐに過剰なテンションを与えたり、スキャナ送り用モータ３７に過負荷が作用する不都合がない。
【００２９】
また、スキャナ送りローラ２６は、ローラ支軸３０に一対設けられ、該一対のスキャナ送りローラ２６間に押えレバー３４が配置されているため、一対のスキャナ送りローラ２６を略平行に進退させることができ、その結果、搬送力のバラツキによって小切手Ｐが傾く等の不都合を回避することができる。
【００３０】
また、押えレバー３４は、小切手Ｐをスキャナ２５の読み取り面２５ａに沿わせる紙押えガイド３４ｂを備えるため、一対のスキャナ送りローラ２６間における小切手Ｐの浮きを規制し、スキャン精度を向上させることができる。
【００３１】
また、押えレバー３４を退避方向に強制回動させるスキャナ送りローラ用ソレノイド３３を更に備え、該スキャナ送りローラ用ソレノイド３３の駆動に応じてスキャナ送りローラ２６とスキャナ２５との間が開閉されるため、スキャナ送りローラ２６とスキャナ２５との間に小切手Ｐが送り込まれる際に、スキャナ送りローラ用ソレノイド３３の駆動で搬送経路１５を開くことにより、スキャナ送りローラ２６に対する小切手Ｐの引っ掛かりを防止でき、しかも、駆動負荷に応じてスキャナ送りローラ２６を退避させる機構を利用して搬送経路１５を開閉させるため、部品点数の削減や構造の簡略化を図ることができる。
【００３２】
また、スキャナ送りローラ２６、押えレバー３４、ローラ駆動機構３６およびスキャナ送りローラ用ソレノイド３３は、スキャナ２５と分離されたスキャナ送りユニット４２に設けられ、更に、スキャナ送りユニット４２全体がスキャナ２５から退避可能に構成されているため、スキャナ送りユニット４２全体を退避させることにより、スキャナ２５とスキャナ送りローラ２６との間を広く開放することができ、その結果、スキャナ２５部位におけるジャム紙の除去が容易になる許りでなく、スキャナ２５の読み取り面２５ａを容易にクリーニングすることができる。
【００３３】
以上、本発明の一実施形態を図面に沿って説明したが、本発明は前記実施形態において示された事項に限定されず、特許請求の範囲及び発明の詳細な説明の記載、並びに周知の技術に基づいて、当業者がその変更・応用を行うことができる範囲が含まれる。例えば、上記実施形態においては、スキャナを備えた複合処理装置を例示したが、専らスキャン処理を行うスキャナ装置であっても良いことは言うまでもない。
【００３４】
【発明の効果】
以上の如く本発明によれば、スキャナの対向位置に、読取媒体をスキャナに押し付けながら搬送する送りローラを備えるものでありながら、送りローラの駆動負荷に応じて、送りローラをスキャナから自動的に退避させることが可能になり、その結果、送りローラがスキャナの読み取り面に直接接触し、その駆動負荷が増大しても、過負荷によって駆動源や伝動ギヤが破損したり、ステッピングモータが脱調し、不快な異音を発生させる等の不都合を解消することができる。
【図面の簡単な説明】
【図１】複合処理装置の斜視図である。
【図２】複合処理装置の内部構造を示す側断面図である。
【図３】小切手の概略図である。
【図４】ローラ退避機構を示す側面図である。
【図５】ローラ退避機構を示す平面図である。
【図６】ローラ駆動機構を示す要部側断面図である。
【図７】通常状態におけるローラ駆動機構を示す斜視図である。
【図８】押えレバー退避状態におけるローラ駆動機構を示す斜視図である。
【図９】ローラ駆動機構の作用説明図である。
【図１０】スキャン動作時を示す複合処理装置の内部概略側面図である。
【図１１】スキャナ送りユニットの退避構造を示す複合処理装置の内部概略側面図である。
【符号の説明】
Ｐ  小切手
１０  複合処理装置
１５  搬送経路
１７  ＭＩＣＲヘッド
１８  第１送りローラ対
２１  裏印字ヘッド
２２  第２送りローラ対
２３  表印字ヘッド
２５  スキャナ
２６  スキャナ送りローラ
３０  ローラ支軸
３２  ローラ退避機構
３３  スキャナ送りローラ用ソレノイド
３４  押えレバー
３４ａ  回動支軸
３４ｂ  紙押えガイド
３５  押えバネ
３６  ローラ駆動機構
３７  スキャナ送り用モータ
３９  太陽ギヤ
４０  遊星ギヤ
４１  送りローラギヤ
４２  スキャナ送りユニット
【図１】
0004604427.tif 000002
【図２】
0004604427.tif 000003
【図３】
0004604427.tif 000004
【図４】
0004604427.tif 000005
【図５】
0004604427.tif 000006
【図６】
0004604427.tif 000007
【図７】
0004604427.tif 000008
【図８】
0004604427.tif 000009
【図９】
0004604427.tif 000010
【図１０】
0004604427.tif 000011
【図１１】
0004604427.tif 000012